(57)【要約】【課題】  ショーケース内の商品に高級感を与え、商品全体が見易く商品価値を低く感じさせることもなく、ショーケース内をすっきりと広く見せることなどが可能な商品表示装置を提供する。【解決手段】  商品情報が記載され、又は記載可能な透明な板状部材２と、透明板状部材２に光を導入する砲弾型ＬＥＤ３と、砲弾型ＬＥＤ３を点灯させる電源とを備える商品表示装置１。砲弾型ＬＥＤ３から商品情報を記載した透明な板状部材に光を導入することにより、透明な板状部材２に商品情報が浮き上がって見える。砲弾型ＬＥＤ３を収容する筐体５と、筐体５上に板状部材２を脱着可能に支持する支持部とを備えるようにして、板状部材２の取替えを容易にすることができる。砲弾型ＬＥＤ３に代えて、チップ型ＬＥＤ６とレンズ７を用いてもよい。板状部材２の商品情報が記載された面に、つや消し剤を蒸着した蒸着層を設けてもよい。【選択図】  図１
2006166948.tif 000002
【特許請求の範囲】
【請求項１】
商品情報が記載され、又は記載可能な透明な板状部材と、
前記透明板状部材に光を導入する砲弾型ＬＥＤと、
該砲弾型ＬＥＤを点灯させる電源とを備えることを特徴とする商品表示装置。
【請求項２】
前記砲弾型ＬＥＤを収容する筐体と、
該筐体上に前記板状部材を脱着可能に支持する支持部とを備えることを特徴とする請求項１に記載の商品表示装置。
【請求項３】
前記板状部材の商品情報が記載された面に、つや消し剤を蒸着した蒸着層を備えることを特徴とする請求項１又は２に記載の商品表示装置。
【請求項４】
商品情報が記載され、又は記載可能な透明な板状部材と、
前記透明板状部材に光を導入するチップ型ＬＥＤと、
該チップ型ＬＥＤを点灯させる電源と、
前記チップ型ＬＥＤと前記透明な板状部材との間に介装されたレンズとを備えることを特徴とする商品表示装置。
【請求項５】
前記砲弾型ＬＥＤ及び前記レンズを収容する筐体と、
該筐体上に前記板状部材を脱着可能に支持する支持部とを備えることを特徴とする請求項４に記載の商品表示装置。
【請求項６】
前記板状部材の商品情報が記載された面に、つや消し剤を蒸着した蒸着層を備えることを特徴とする請求項４又は５に記載の商品表示装置。
【発明の詳細な説明】
【技術分野】
【０００１】
本発明は、商品表示装置に関し、特に、ショーケース内に収められた食品等の商品の価格等を表示するための商品表示装置に関する。
【背景技術】
【０００２】
従来、ショーケース内に陳列された商品の価格、広告等を表示する場合には、紙、プラスチック等の素材に価格を印刷又は記入し、商品の近傍に配置していた。また、特許文献１には、価格の書き直しを避けるため、ガラス基板とアクリル板とで構成された表示部と、表示部を支持するスタンドケースからなり、ガラス基板の表面にメタライズ膜を施して複数の数字表示のパターンを形成し、このパターンを各数字毎に７セグメントに区分し、各セグメント毎にＬＥＤを取り付け、各数字の表示を任意に変更可能とした記載の価格表示装置が記載されている。
【０００３】
【特許文献１】実開平４−３４８０号公報
【発明の開示】
【発明が解決しようとする課題】
【０００４】
しかし、上記従来の商品表示装置においては、折角ショーケースが豪華で体裁よく作られていても、ショーケース内の商品を表示するものが紙であると、商品が安っぽく見えてしまうという問題があった。また、紙等の透明でないものを使用すると、商品自体が見づらくなり、商品価値が低いように見えるおそれもあった。
【０００５】
一方、特許文献１に記載の価格表示装置は、透明感のある表示装置であり、紙等による表示に比較して商品がよく見え、清潔感もあるが、個々の価格の異なる商品毎に同表示装置を設ける必要があり、多数の表示装置をショーケース内に設置すると、ショーケース内が錯綜する。また、この表示装置は、商品の価格のみ表示可能であり、文字や絵を含む広告等を表示することができないという問題もあった。
【０００６】
そこで、本発明は、上記従来の商品表示装置における問題点に鑑みてなされたものであって、ショーケース内の商品に高級感を与え、商品全体が見易く商品価値を低く感じさせることもなく、ショーケース内をすっきりと広く見せることなどが可能な商品表示装置を提供することを目的とする。
【課題を解決するための手段】
【０００７】
上記目的を達成するため、本発明は、商品表示装置であって、商品情報が記載され、又は記載可能な透明な板状部材と、前記透明板状部材に光を導入する砲弾型ＬＥＤと、該砲弾型ＬＥＤを点灯させる電源とを備えることを特徴とする。
【０００８】
そして、本発明によれば、透明な板状部材に商品情報を記載し、砲弾型ＬＥＤから透明な板状部材に光を導入することにより、透明な板状部材に商品情報が浮き上がって見えるため、ショーケース内の商品の価格等の商品表示用に用いた場合に、高級感を与え、商品全体が見易く商品価値を減じさせず、ショーケース内をすっきりと広く見せることができる。
【０００９】
前記商品表示装置において、前記砲弾型ＬＥＤを収容する筐体と、該筐体上に前記板状部材を脱着可能に支持する支持部とを備えるように構成することができる。この商品表示装置によれば、商品情報を記載した板状部材を脱着することにより、商品の価格等を容易に変更することができる。
【００１０】
前記商品表示装置において、前記板状部材の商品情報が記載された面に、つや消し剤を蒸着した蒸着層を備えるように構成することができる。これによって、板状部材全体が白く浮き上がったように見えるため、意匠的に優れた商品表示装置を提供することができる。
【００１１】
また、本発明は、商品表示装置であって、商品情報が記載され、又は記載可能な透明な板状部材と、前記透明板状部材に光を導入するチップ型ＬＥＤと、該チップ型ＬＥＤを点灯させる電源と、前記チップ型ＬＥＤと前記透明な板状部材との間に介装されたレンズとを備えることを特徴とする。
【００１２】
そして、本発明によれば、透明な板状部材に商品情報を記載し、チップ型ＬＥＤ及びレンズを介して透明な板状部材に光を導入することにより、透明な板状部材に商品情報が浮き上がって見えるため、ショーケース内の商品の価格等の商品表示用に用いた場合に、高級感を与え、商品全体が見易く商品価値を減じさせず、ショーケース内をすっきりと広く見せることができる。
【００１３】
前記商品表示装置において、前記砲弾型ＬＥＤ及び前記レンズを収容する筐体と、該筐体上に前記板状部材を脱着可能に支持する支持部とを備えるように構成することができる。この商品表示装置によれば、商品情報を記載した板状部材を脱着することにより、商品の価格等を容易に変更することができる。
【００１４】
前記商品表示装置において、前記板状部材の商品情報が記載された面に、つや消し剤を蒸着した蒸着層を備えるように構成することができる。これによって、板状部材全体が白く浮き上がったように見えるため、意匠的に優れた商品表示装置を提供することができる。
【発明の効果】
【００１５】
以上のように、本発明によれば、ショーケース内の商品に高級感を与え、商品全体が見易く商品価値を低下させることもなく、ショーケース内をすっきりと広く見せることなどが可能な商品表示装置を提供することが可能となる。
【発明を実施するための最良の形態】
【００１６】
図１は、本発明にかかる商品表示装置の一実施の形態を示し、この商品表示装置１は、商品情報が記載された透明な板状部材としてのアクリル板２Ａ〜２Ｃと、アクリル板２Ａ〜２Ｃを脱着可能に支持するとともに、アクリル板２Ａ〜２Ｃに光を導入する砲弾型ＬＥＤ３と、ＰＣ板４と、砲弾型ＬＥＤ３を点灯させるための図示しない電源と、砲弾型ＬＥＤ３及びＰＣ板４を収容する筐体５等で構成される。
【００１７】
アクリル板２は、無色透明又は有色透明のものを用いる。アクリル板２への商品の価格等の記載は、アクリル板２の後面側に印刷、カッティングシートの貼着、エッジングによって行うことができる。
【００１８】
砲弾型ＬＥＤ３は、図２に示すように、発光素子から放射された光を樹脂レンズを介して外部へ放射するものであって、アクリル板２全体を照明するため、各アクリル板２の下方に配置される。この砲弾型ＬＥＤ３は、青、赤、黄等、色の異なる複数種類のものを用いることで、レインボーカラーも表現することができ、アクリル板２全体を種々の色で点滅させることもできる。尚、電源には、１００Ｖの商用電源及び電池等を用いることができる。
【００１９】
尚、砲弾型ＬＥＤ３の代わりに、図３に示すように、チップ型ＬＥＤ６及びレンズ７を用い、アクリル板２全体を照明することもできる。このチップ型ＬＥＤ６には、ＺｎＳｅ系のチップ自体が白色に発光するものなどを用いることができる。砲弾型ＬＥＤ３及びチップ型ＬＥＤ６は、高性能、超寿命で、発熱量及び消費電力が小さいことも利点である。
【００２０】
また、アクリル板２の商品情報が記載された後面に、つや消し剤を蒸着した蒸着層を形成し、アクリル板２全体が白く浮き上がったように見せることもできる。蒸着層を形成すると、アクリル板２が透明ではなくなるが、ショーケース内でアクリル板２全体が浮き上がって見えるため、外観を向上し、意匠的に優れたショーケースとすることもできる。
【００２１】
筐体５は、透明な材料で形成することが好ましく、透明なショーケースとの一体感が得られる。また、ショーケース等の大きさに合わせて筐体５の長さを調整することができる。
【００２２】
次に、上記構成を有する商品表示装置１の使用方法について、図４を参照しながら説明する。
【００２３】
図４のショーケース１０内には、２段の商品陳列棚１１Ａ、１１Ｂが存在し、各商品陳列棚１１の前面側に商品表示装置１を配置する。各商品陳列棚１１には、商品１２の手前側にアクリル板２を配置し、１つの筐体５に複数のアクリル板２を配置している。各アクリル板２に商品１２の価格、説明書き、広告等を記載する。
【００２４】
このような状態で、アクリル板２に図１のＰＣ板４を介して電源を供給すると、アクリル板２全体は透明であり、アクリル板２に記載した商品１２の価格等のみがショーケース１０に浮き上がって見えるため、ショーケース１０内の商品１２全体が見易くなる。また、ショーケース１０内をすっきりと広く見せることができ、ショーケース１０と商品表示装置１との一体感も得られる。
【００２５】
また、商品１２を変更したり、商品１２の価格等を変更するような場合でも、筐体５からアクリル板２のみを取り替えるだけで済むため、容易に変更が可能である。さらに、砲弾型ＬＥＤ３又はチップ型ＬＥＤ６を点灯状態とするだけでなく、砲弾型ＬＥＤ３又はチップ型ＬＥＤ６を点滅させるようにしてもよい。
【００２６】
尚、商品表示装置１をショーケース１０内に配置する場合に限らず、図５に示すように、筐体５にアクリル板２を１枚だけ配置した商品表示装置２１を構成し、ＰＯＰカードとして使用することももちろん可能であり、商品表示装置２１をショーケース１０等の天板の上に配置して商品の表示を行うようにすれば、コンパクトで意匠的にも優れた商品表示装置を構成することもできる。
【図面の簡単な説明】
【００２７】
【図１】本発明にかかる商品表示装置の一実施の形態を示す正面図である。
【図２】図１の商品表示装置の筐体の内部の一例を示す断面図である。
【図３】図１の商品表示装置の筐体の内部の一例を示す断面図である。
【図４】本発明にかかる商品表示装置の使用例を示す斜視図である。
【図５】本発明にかかる商品表示装置の使用例を示す概略図である。
【符号の説明】
【００２８】
１      商品表示装置
２      アクリル板
３      砲弾型ＬＥＤ
４      ＰＣ板
５      筐体
６      チップ型ＬＥＤ
７      レンズ
１０    ショーケース
１１    商品陳列棚
１２    商品
２１    商品表示装置
【図１】
2006166948.tif 000003
【図２】
2006166948.tif 000004
【図３】
2006166948.tif 000005
【図４】
2006166948.tif 000006
【図５】
2006166948.tif 000007